(57)【要約】【課題】通信ネットワークの時刻同期化方法を提供する。【解決手段】本発明は、通信ネットワークの時刻同期化方法に関するものであり、受動光ネットワーク（ＰＯＮ）を成すＯＬＴとＯＮＵとの時刻差分を計算して時刻を補正することによって、受動光ネットワーク（ＰＯＮ）の時刻同期化を効率的に行えるようにしたものである。【選択図】図１
2017069930.tif 000002
【特許請求の範囲】
【請求項１】
ＯＬＴがＮＴＰまたはＲＴＣから初期時刻情報を取得する時刻情報取得段階と、
ＯＬＴが取得された初期時刻情報をＯＮＵに伝送する時刻情報伝送段階と、
ＯＮＵがＯＬＴから受信した初期時刻情報と、ＧＭから取得した基準時刻情報とを比較して、時刻差分を計算する時刻差分計算段階と、
ＯＮＵが計算された時刻差分をＯＬＴに伝送する時刻差分伝送段階と、
ＯＬＴがＯＮＵから受信した時刻差分に基づいて時刻を補正し、ＯＮＵと時刻同期を行う時刻同期化段階と、
を含んでなることを特徴とする通信ネットワークの時刻同期化方法。
【請求項２】
通信ネットワークの時刻同期化方法が、
時刻補正後、補正された時刻情報を用いて、前記時刻情報伝送段階と、時刻差分計算段階と、時刻差分伝送段階と、時刻同期化段階とを繰り返して継続的にＯＬＴとＯＮＵとの時刻を同期化することを特徴とする請求項１に記載の通信ネットワークの時刻同期化方法。
【請求項３】
通信ネットワークの時刻同期化方法が、
ＯＬＴから受信する補正された時刻情報とＧＭから取得した基準時刻情報とを比較した時刻差分が、許容可能な時刻範囲に到逹する場合、ＯＮＵがロックされるＯＮＵロック段階をさらに含むことを特徴とする請求項２に記載の通信ネットワークの時刻同期化方法。
【請求項４】
通信ネットワークの時刻同期化方法が、
ＯＮＵがロックされれば、その後ＯＮＵがクロック情報をＯＮＵにつながっているスレーブ装置に伝送する時刻同期情報伝送段階をさらに含むことを特徴とする請求項３に記載の通信ネットワークの時刻同期化方法。
【請求項５】
ＯＬＴがＮＴＰまたはＲＴＣから初期時刻情報を取得する時刻情報取得段階と、
ＯＬＴが取得された初期時刻情報をＯＮＵに伝送する時刻情報伝送段階と、
ＯＮＵがＯＬＴから受信した初期時刻情報と、ＧＰＳ受信モジュールから取得した基準時刻情報とを比較して、時刻差分を計算する時刻差分計算段階と、
ＯＮＵが計算された時刻差分をＯＬＴに伝送する時刻差分伝送段階と、
ＯＬＴがＯＮＵから受信した時刻差分に基づいて時刻を補正して、ＯＮＵと時刻同期を行う時刻同期化段階と、
を含んでなることを特徴とする通信ネットワークの時刻同期化方法。
【請求項６】
通信ネットワークの時刻同期化方法が、
時刻補正後、補正された時刻情報を用いて、前記時刻情報伝送段階と、時刻差分計算段階と、時刻差分伝送段階と、時刻同期化段階とを繰り返して継続的にＯＬＴとＯＮＵとの時刻を同期化することを特徴とする請求項５に記載の通信ネットワークの時刻同期化方法。
【請求項７】
通信ネットワークの時刻同期化方法が、
ＯＬＴから受信する補正された時刻情報とＧＰＳ受信モジュールから取得した基準時刻情報とを比較した時刻差分が、許容可能な時刻範囲に到逹する場合、ＯＮＵがロックされるＯＮＵロック段階をさらに含むことを特徴とする請求項６に記載の通信ネットワークの時刻同期化方法。
【請求項８】
通信ネットワークの時刻同期化方法が、
ＯＮＵがロックされれば、その後ＯＬＴが時刻同期情報をＧＭに伝送する時刻同期情報伝送段階をさらに含むことを特徴とする請求項７に記載の通信ネットワークの時刻同期化方法。
【請求項９】
前記ＧＭが、
他のＯＬＴに時刻同期情報を伝送することを特徴とする請求項８に記載の通信ネットワークの時刻同期化方法。
【請求項１０】
通信ネットワークの時刻同期化方法が、
ＯＮＵがロックされれば、その後ＯＬＴが時刻同期情報を配下にある他のＯＮＵに伝送する時刻同期情報伝送段階をさらに含むことを特徴とする請求項７に記載の通信ネットワークの時刻同期化方法。
【請求項１１】
配下にある他のＯＮＵがＯＬＴから受信した時刻同期情報を、自分につながっているスレーブ装置に伝送することを特徴とする請求項１０に記載の通信ネットワークの時刻同期化方法。
【発明の詳細な説明】
【技術分野】
【０００１】
本発明は、時刻同期化技術に係り、特に、通信ネットワークの時刻同期化方法に関するものである。
【背景技術】
【０００２】
特許文献１でＧＰＳ情報を用いた時間同期化技術を提案している。
【０００３】
本技術は、ＧＰＳ受信器を備えたグランドマスタノードでＧＰＳ信号を用いて１ＰＰＳ（１Ｐｕｌｓｅ  Ｐｅｒ  Ｓｅｃｏｎｄ）、ＴＯＤ（Ｔｉｍｅ  Ｏｆ  Ｄａｙ）、１ＰＰＳ＿ｅｎ、１０ＭＨｚクロックを抽出し、該抽出した信号を安定化し、該安定化された信号を用いて時間同期化のための同期メッセージを生成してスレーブノードに伝送する。
【０００４】
それによってスレーブノードでは同期メッセージを受信し、スレーブノードの時間同期化ブロックではタイムオフセット及び周波数分離補償を支援するＯＦＣＣ（Ｏｆｆｓｅｔ＆Ｆｒｅｑｕｅｎｃｙ  Ｃｏｍｐｅｎｓａｔｉｏｎ  Ｃｌｏｃｋ）同期化技術を用いて時間同期化演算を行い、時間同期化ブロックのＴＯＤ情報を修正する。
【０００５】
そして、時間同期化ブロックで修正されたＴＯＤ情報を用いて、１ＰＰＳ、ＴＯＤ、１ＰＰＳ＿ｅｎ信号を抽出し、スレーブノードの安定化ブロックに伝達して信号を安定化する。
【０００６】
次いで、安定化された信号を、再び時間同期化ブロックに伝達し、時間同期化ブロックのＴＯＤ情報を更新し、該更新されたＴＯＤ情報を用いて、他のスレーブノードの時間同期化のための同期メッセージを生成する。
本発明者は、通信システムのマスタとスレーブ間での時刻同期化技術についての研究を行うことになった。
【先行技術文献】
【特許文献】
【０００７】
【特許文献１】大韓民国登録特許第１０−０８７６７７６号（２００８．１２．２３）
【発明の概要】
【発明が解決しようとする課題】
【０００８】
本発明は、前記課題を解決するために発明されたもので、通信システムのマスタとスレーブ間での時刻同期化技術を提供することをその目的とする。
【０００９】
特に、受動光ネットワーク（ＰＯＮ：Ｐａｓｓｉｖｅ  Ｏｐｔｉｃａｌ  Ｎｅｔｗｏｒｋ）を成すＯＬＴ（Ｏｐｔｉｃａｌ  Ｌｉｎｅ  Ｔｅｒｍｉｎａｌ）とＯＮＵ（Ｏｐｔｉｃａｌ  Ｎｅｔｗｏｒｋ  Ｕｎｉｔ）との時刻同期化を効率的に行える時刻同期化方法を提供することをその目的とする。
【課題を解決するための手段】
【００１０】
前記目的を果たすための本発明の一態様によれば、通信ネットワークの時刻同期化方法が、ＯＬＴがＮＴＰ（Ｎｅｔｗｏｒｋ  Ｔｉｍｅ  Ｐｒｏｔｏｃｏｌ）またはＲＴＣ（Ｒｅａｌ  Ｔｉｍｅ  Ｃｌｏｃｋ）から初期時刻情報を取得する時刻情報取得段階と、ＯＬＴが取得された初期時刻情報をＯＮＵに伝送する時刻情報伝送段階と、ＯＮＵがＯＬＴから受信した初期時刻情報と、ＧＭ（Ｇｒａｎｄ  Ｍａｓｔｅｒ）から取得した基準時刻情報とを比較して、時刻差分を計算する時刻差分計算段階と、ＯＮＵが計算された時刻差分をＯＬＴに伝送する時刻差分伝送段階と、ＯＬＴがＯＮＵから受信した時刻差分に基づいて時刻を補正して、ＯＮＵと時刻同期を行う時刻同期化段階と、を含んでなることを特徴とする。
【００１１】
本発明の付加的な態様によれば、通信ネットワークの時刻同期化方法が、時刻補正後、補正された時刻情報を用いて、前記時刻情報伝送段階と、時刻差分計算段階と、時刻差分伝送段階と、時刻同期化段階とを繰り返して継続的にＯＬＴとＯＮＵとの時刻を同期化することを特徴とする。
【００１２】
本発明の付加的な態様によれば、通信ネットワークの時刻同期化方法が、ＯＬＴから受信する補正された時刻情報とＧＭから取得した基準時刻情報とを比較した時刻差分が、許容可能な時刻範囲に到逹する場合、ＯＮＵがロック（Ｌｏｃｋ）されるＯＮＵロック段階をさらに含むことを特徴とする。
【００１３】
本発明の付加的な態様によれば、通信ネットワークの時刻同期化方法が、ＯＮＵがロックされれば、その後ＯＮＵがクロック情報をＯＮＵにつながっているスレーブ装置に伝送する時刻同期情報伝送段階をさらに含むことを特徴とする。
【００１４】
本発明のさらに他の態様によれば、通信ネットワークの時刻同期化方法が、ＯＬＴがＮＴＰまたはＲＴＣから初期時刻情報を取得する時刻情報取得段階と、ＯＬＴが取得された初期時刻情報をＯＮＵに伝送する時刻情報伝送段階と、ＯＮＵがＯＬＴから受信した初期時刻情報と、ＧＰＳ受信モジュールから取得した基準時刻情報とを比較して、時刻差分を計算する時刻差分計算段階と、ＯＮＵが計算された時刻差分をＯＬＴに伝送する時刻差分伝送段階と、ＯＬＴがＯＮＵから受信した時刻差分に基づいて時刻を補正して、ＯＮＵと時刻同期を行う時刻同期化段階と、を含んでなることを特徴とする。
【００１５】
本発明の付加的な態様によれば、通信ネットワークの時刻同期化方法が、時刻補正後、補正された時刻情報を用いて、前記時刻情報伝送段階と、時刻差分計算段階と、時刻差分伝送段階と、時刻同期化段階とを繰り返して継続的にＯＬＴとＯＮＵとの時刻を同期化することを特徴とする。
【００１６】
本発明の付加的な態様によれば、通信ネットワークの時刻同期化方法が、ＯＬＴから受信する補正された時刻情報とＧＰＳ受信モジュールから取得した基準時刻情報とを比較した時刻差分が、許容可能な時刻範囲に到逹する場合、ＯＮＵがロックされるＯＮＵロック段階をさらに含むことを特徴とする。
【００１７】
本発明の付加的な態様によれば、通信ネットワークの時刻同期化方法が、ＯＮＵがロックされれば、その後ＯＬＴが時刻同期情報をＧＭに伝送する時刻同期情報伝送段階をさらに含むことを特徴とする。
【００１８】
本発明の付加的な態様によれば、前記ＧＭが他のＯＬＴに時刻同期情報を伝送することを特徴とする。
【００１９】
本発明の付加的な態様によれば、通信ネットワークの時刻同期化方法が、ＯＮＵがロックされれば、その後ＯＬＴが時刻同期情報を配下にある他のＯＮＵに伝送する時刻同期情報伝送段階をさらに含むことを特徴とする。
本発明の付加的な態様によれば、配下にある他のＯＮＵがＯＬＴから受信した時刻同期情報を、自分につながっているスレーブ装置に伝送することを特徴とする。
【発明の効果】
【００２０】
本発明は、通信システムのマスタとスレーブ間での時刻同期化を効率的に行うことができる。特に、受動光ネットワーク（ＰＯＮ）を成すＯＬＴとＯＮＵ間での時刻同期化を効率的に行うことができる。
【図面の簡単な説明】
【００２１】
【図１】本発明による通信ネットワークの時刻同期化方法の一実施形態の構成を示すフローチャートである。
【図２】図１に示した通信ネットワークの時刻同期化方法を行う受動光ネットワーク構成を示すブロック図である。
【図３】本発明による通信ネットワークの時刻同期化方法のさらに他の実施形態の構成を示すフローチャートである。
【図４】図３に示した通信ネットワークの時刻同期化方法を行う受動光ネットワーク構成を示すブロック図である。
【図５】本発明による通信ネットワークの時刻同期化方法のさらなる実施形態の構成を示すフローチャートである。
【図６】図５に示した通信ネットワークの時刻同期化方法を行う受動光ネットワーク構成を示すブロック図である。
【発明を実施するための形態】
【００２２】
以下、添付図面を参照して記述される望ましい実施形態を通じて、本発明を当業者が容易に理解し、再現できるように詳しく記述する。
【００２３】
本発明を説明するに当って、関連した公知の機能または構成に関する具体的な説明が、本発明の実施形態の趣旨とは異なる恐れがあると判断される場合には、その詳細な説明を省略する。
【００２４】
本発明の明細書の全般に亘って使われる用語は、本発明の実施形態での機能を考慮して定義された用語であり、ユーザまたは運用者の意図、慣例などによって十分に変形可能な事項であるため、その用語の定義は、本明細書の全般に亘った内容に基づいて行われなければならない。
【００２５】
図１は、本発明による通信ネットワークの時刻同期化方法の一実施形態の構成を示すフローチャートである。
【００２６】
まず、時刻情報取得段階（１１０）で、ＯＬＴがＮＴＰまたはＲＴＣから初期時刻情報を取得する。例えば、取得される初期時刻情報は、周波数、１ＰＰＳ、ＴＯＤを含む。
【００２７】
次いで、時刻情報伝送段階（１２０）で、ＯＬＴが取得された初期時刻情報をＯＮＵに伝送する。例えば、イーサネット（登録商標）標準ＩＥＥＥ８０２．１ａｓ精密時間プロトコルを通じて初期時刻情報が伝送される。
【００２８】
次いで、時刻差分計算段階（１３０）で、ＯＮＵがＯＬＴから受信した初期時刻情報と、ＧＭから取得した基準時刻情報とを比較し、時刻差分を計算する。ＧＭは、イーサネット標準ＩＥＥＥ８０２．１ａｓに定義されたグローバルクロックを供給する装置である。
【００２９】
例えば、ＯＮＵがＯＬＴから受信したイーサネット標準ＩＥＥＥ８０２．１ａｓ精密時間プロトコルデータから周波数、１ＰＰＳ、ＴＯＤを抽出して復元し、ＧＭから１５８８ＰＴＰ（Ｐｒｅｓｉｃｉｏｎ  Ｔｉｍｅ  Ｐｒｏｔｏｃｏｌ）パケットを伝達され、これより基準時刻情報を取得することができる。
【００３０】
次いで、時刻差分伝送段階（１４０）で、ＯＮＵが計算された時刻差分をＯＬＴに伝送する。この際、時刻差分は、ＯＮＵから最優先順位（Ｈｉｇｈｅｓｔ  Ｐｒｉｏｒｉｔｙ）でＯＬＴに伝送される。
【００３１】
例えば、時刻補正プロトコルを通じて時刻差分を伝送し、時刻補正プロトコルは、ＩＴＵ−Ｔ  Ｇ．８２７５．１のＢＭＣＡのＳＦ（Ｓｅｌｅｃｔｉｏｎ  Ｆａｃｔｏｒ）を基盤とした情報に時刻差分情報を加えた形式を取ることができる。
【００３２】
次いで、時刻同期化段階（１５０）で、ＯＬＴがＯＮＵから受信した時刻差分に基づいて時刻を補正して、ＯＮＵと時刻同期を行う。例えば、現在ＯＬＴの時刻がＴ、ＯＮＵから受信した時刻差分が△Ｔ、時刻補正された時刻がＴ’であれば、Ｔ’＝Ｔ±△Ｔになる。
【００３３】
前記のように時刻補正がなされた後、初期時刻情報の代わりに、補正された時刻情報を用いて、前記時刻情報伝送段階（１２０）と、時刻差分計算段階（１３０）と、時刻差分伝送段階（１４０）と、時刻同期化段階（１５０）とを繰り返して継続的にＯＬＴとＯＮＵ間での時刻を同期化する。
【００３４】
次いで、ＯＮＵロック段階（１６０）で、ＯＬＴから受信する補正された時刻情報とＧＭから取得した基準時刻情報とを比較した時刻差分が、許容可能な時刻範囲に到逹する場合、ＯＮＵがロックされる。
【００３５】
次いで、時刻同期情報伝送段階（１７０）で、ＯＮＵがロックされれば、その後ＯＮＵがクロック情報をＯＮＵにつながっているスレーブ装置（図面省略）に伝送する。例えば、１５８８ＰＴＰパケットまたは１ＰＰＳ＋ＴＯＤの形態でクロック情報がスレーブ装置に伝送することができる。
【００３６】
図２は、図１に示した通信ネットワークの時刻同期化方法を行う受動光ネットワーク構成を示すブロック図である。図２に示した受動光ネットワークは、ＯＬＴ２１０、ＯＮＵ２２０及びＧＭ２３０を含む。
【００３７】
ＯＬＴ２１０のＳＦＵ（Ｓｗｉｔｃｈｉｎｇ  Ｆａｂｒｉｃ  Ｕｎｉｔ）２１１は、電源入力後、ＮＴＰまたはＲＴＣから初期時刻情報を取得し、これに基づいて時刻同期化する。例えば、取得される初期時刻情報は、周波数、１ＰＰＳ、ＴＯＤを含む。
【００３８】
ＳＦＵ２１１は、ＳＩＵ（Ｓｅｒｖｉｃｅ  Ｉｎｔｅｒｆａｃｅ  Ｕｎｉｔ）２１２に初期時刻情報を伝達する。ＳＩＵ２１２のＰＯＮ  ＭＡＣは、初期時刻情報をＯＮＵ２２０に伝送する。例えば、イーサネット標準ＩＥＥＥ８０２．１ａｓ精密時間プロトコルを通じて初期時刻情報が伝送される。
【００３９】
それによって、ＯＮＵ２２０のＰＯＮ  ＭＡＣ２２１がＯＬＴ２１０から初期時刻情報を取得し、ＯＮＵ２２０のＬ２スイッチ２２２がＧＭ２３０から基準時刻情報を取得する。
【００４０】
そして、ＯＮＵ２２０のＬ２スイッチ２２２がＯＬＴ２１０から受信した初期時刻情報と、ＧＭ２３０から取得した基準時刻情報とを比較し、時刻差分を計算する。
【００４１】
例えば、ＯＮＵ２２０がＯＬＴ２１０から受信したイーサネット標準ＩＥＥＥ８０２．１ａｓ精密時間プロトコルデータから周波数、１ＰＰＳ、ＴＯＤを抽出して復元し、ＧＭ２３０から１５８８ＰＴＰパケットを伝達され、これより基準時刻情報を取得することができる。
【００４２】
次いで、ＯＮＵ２２０がＰＯＮ  ＭＡＣ２２１を通じて計算された時刻差分をＯＬＴ２１０に伝送する。この際、時刻差分は、ＯＮＵから最優先順位でＯＬＴに伝送される。
【００４３】
例えば、時刻補正プロトコルを通じて時刻差分を伝送し、時刻補正プロトコルは、ＩＴＵ−Ｔ  Ｇ．８２７５．１のＢＭＣＡのＳＦを基盤とした情報に時刻差分情報を加えた形式を取ることができる。
【００４４】
その後、ＯＬＴ２１０のＳＦＵ２１１がＯＮＵ２２０から受信した時刻差分に基づいて時刻を補正し、ＯＮＵ２２０と時刻同期を行う。例えば、現在ＯＬＴの時刻がＴ、ＯＮＵから受信した時刻差分が△Ｔ、時刻補正された時刻がＴ’であれば、Ｔ’＝Ｔ±△Ｔになる。
【００４５】
前記のように時刻補正が行われた後、初期時刻情報の代わりに、補正された時刻情報を用いて、前記の動作を継続的に繰り返してＯＬＴとＯＮＵとの時刻を同期化する。ＯＬＴ２１０から受信する補正された時刻情報とＧＭ２３０から取得した基準時刻情報とを比較した時刻差分が、許容可能な時刻範囲に到逹する場合、ＯＮＵ２２０がロックされる。
【００４６】
ＯＮＵ２２０がロックされれば、その後ＯＮＵ２２０がクロック情報をＯＮＵにつながっているスレーブ装置（図面省略）に伝送する。例えば、１５８８ＰＴＰパケットまたは１ＰＰＳ＋ＴＯＤの形態でクロック情報をスレーブ装置に伝送することができる。
【００４７】
このように実装することによって、本発明は、受動光ネットワーク（ＰＯＮ）を成すＯＬＴとＯＮＵとの時刻同期化を効率的に行うことができる。
【００４８】
図３は、本発明による通信ネットワークの時刻同期化方法のさらに他の実施形態の構成を示すフローチャートである。
【００４９】
まず、時刻情報取得段階（３１０）で、ＯＬＴがＮＴＰまたはＲＴＣから初期時刻情報を取得する。例えば、取得される初期時刻情報は、周波数、１ＰＰＳ、ＴＯＤを含む。
【００５０】
次いで、時刻情報伝送段階（３２０）で、ＯＬＴが取得された初期時刻情報をＯＮＵに伝送する。例えば、イーサネット標準ＩＥＥＥ８０２．１ａｓ精密時間プロトコルを通じて初期時刻情報が伝送される。
【００５１】
次いで、時刻差分計算段階（３３０）で、ＯＮＵがＯＬＴから受信した初期時刻情報と、ＧＰＳ受信モジュールから取得した基準時刻情報とを比較して、時刻差分を計算する。
【００５２】
例えば、ＯＮＵがＯＬＴから受信したイーサネット標準ＩＥＥＥ８０２．１ａｓ精密時間プロトコルデータから周波数、１ＰＰＳ、ＴＯＤを抽出して復元し、ＧＰＳ受信モジュールからＧＰＳ衛星と同期した１ＰＰＳ＋ＴＯＤ情報を取得することができる。
【００５３】
次いで、時刻差分伝送段階（３４０）で、ＯＮＵが計算された時刻差分をＯＬＴに伝送する。この際、時刻差分は、ＯＮＵから最優先順位でＯＬＴに伝送される。
【００５４】
例えば、時刻補正プロトコルを通じて時刻差分を伝送し、時刻補正プロトコルは、ＩＴＵ−Ｔ  Ｇ．８２７５．１のＢＭＣＡのＳＦを基盤とした情報に時刻差分情報を加えた形式を取ることができる。
【００５５】
次いで、時刻同期化段階（３５０）で、ＯＬＴがＯＮＵから受信した時刻差分に基づいて時刻を補正し、ＯＮＵと時刻同期を行う。例えば、現在ＯＬＴの時刻がＴ、ＯＮＵから受信した時刻差分が△Ｔ、時刻補正された時刻がＴ’であれば、Ｔ’＝Ｔ±△Ｔになる。
【００５６】
前記のように時刻補正が行われた後、初期時刻情報の代わりに、補正された時刻情報を用いて、前記時刻情報伝送段階（３２０）と、時刻差分計算段階（３３０）と、時刻差分伝送段階（３４０）と、時刻同期化段階（３５０）とを繰り返して継続的にＯＬＴとＯＮＵとの時刻を同期化する。
【００５７】
次いで、ＯＮＵロック段階（３６０）で、ＯＬＴから受信する補正された時刻情報とＧＰＳ受信モジュールから取得した基準時刻情報とを比較した時刻差分が、許容可能な時刻範囲に到逹する場合、ＯＮＵがロックされる。
【００５８】
次いで、時刻同期情報伝送段階（３７０）で、ＯＮＵがロックされれば、その後ＯＬＴが時刻同期情報をＧＭに伝送する。そして、ＧＭが他のＯＬＴ（図面省略）に時刻同期情報を伝送する。例えば、１５８８ＰＴＰパケットを通じて時刻同期情報が伝送される。
【００５９】
図４は、図３に示した通信ネットワークの時刻同期化方法を行う受動光ネットワーク構成を示すブロック図である。図４に示した受動光ネットワークは、ＯＬＴ４１０、ＯＮＵ４２０及びＧＭ４３０を含む。
【００６０】
ＯＬＴ４１０のＳＦＵ４１１は、電源入力後、ＮＴＰまたはＲＴＣから初期時刻情報を取得し、これに基づいて時刻同期化を行う。例えば、取得される初期時刻情報は、周波数、１ＰＰＳ、ＴＯＤを含む。
【００６１】
ＳＦＵ４１１は、ＳＩＵ４１２に初期時刻情報を伝達する。ＳＩＵ４１２のＰＯＮ  ＭＡＣは、初期時刻情報をＯＮＵ４２０に伝送する。例えば、イーサネット標準ＩＥＥＥ８０２．１ａｓ精密時間プロトコルを通じて初期時刻情報が伝送される。
【００６２】
それによって、ＯＮＵ４２０のＰＯＮ  ＭＡＣ４２１がＯＬＴ４１０から初期時刻情報を取得し、ＯＮＵ４２０のＧＰＳ受信モジュール４２２がＧＰＳ衛星（図面省略）から基準時刻情報を取得する。
【００６３】
そして、ＯＮＵ４２０のＬ２スイッチ４２３がＯＬＴ４１０から受信した初期時刻情報と、ＧＰＳ受信モジュール４２２から取得した基準時刻情報とを比較して、時刻差分を計算する。
【００６４】
例えば、ＯＮＵ４２０がＯＬＴ４１０から受信したイーサネット標準ＩＥＥＥ８０２．１ａｓ精密時間プロトコルデータから周波数、１ＰＰＳ、ＴＯＤを抽出して復元し、ＧＰＳ受信モジュール４２２からＧＰＳ衛星と同期した１ＰＰＳ＋ＴＯＤ情報を取得することができる。
【００６５】
次いで、ＯＮＵ４２０がＰＯＮ  ＭＡＣ４２１を通じて計算された時刻差分をＯＬＴ４１０に伝送する。この際、時刻差分は、ＯＮＵから最優先順位でＯＬＴに伝送される。
【００６６】
例えば、時刻補正プロトコルを通じて時刻差分を伝送し、時刻補正プロトコルは、ＩＴＵ−Ｔ  Ｇ．８２７５．１のＢＭＣＡのＳＦを基盤とした情報に時刻差分情報を加えた形式を取ることができる。
【００６７】
それによって、ＯＬＴ４１０のＳＦＵ４１１がＯＮＵ４２０から受信した時刻差分に基づいて時刻を補正し、ＯＮＵ４２０と時刻同期を行う。例えば、現在ＯＬＴの時刻がＴ、ＯＮＵから受信した時刻差分が△Ｔ、時刻補正された時刻がＴ’であれば、Ｔ’＝Ｔ±△Ｔになる。
【００６８】
前記のように時刻補正がなされた後、初期時刻情報の代わりに、補正された時刻情報を用いて、前記の動作を継続的に繰り返してＯＬＴとＯＮＵとの時刻を同期化する。ＯＬＴ４１０から受信する補正された時刻情報と、ＧＰＳ受信モジュール４２２から取得した基準時刻情報とを比較した時刻差分が、許容可能な時刻範囲に到逹する場合、ＯＮＵ４２０がロックされる。
【００６９】
ＯＮＵ４２０がロックされれば、その後ＯＬＴ４１０が時刻同期情報をＧＭ４３０に伝送する。そして、ＧＭ４３０が他のＯＬＴ（図面省略）に時刻同期情報を伝送する。例えば、１５８８ＰＴＰパケットを通じて時刻同期情報が伝送される。
【００７０】
このように実装することによって、本発明は、受動光ネットワーク（ＰＯＮ）を成すＯＬＴとＯＮＵとの時刻同期化を効率的に行うことができる。
【００７１】
図５は、本発明による通信ネットワークの時刻同期化方法のさらなる実施形態の構成を示すフローチャートである。
【００７２】
まず、時刻情報取得段階（５１０）で、ＯＬＴがＮＴＰまたはＲＴＣから初期時刻情報を取得する。例えば、取得される初期時刻情報は、周波数、１ＰＰＳ、ＴＯＤを含む。
【００７３】
次いで、時刻情報伝送段階（５２０）で、ＯＬＴが取得された初期時刻情報をＯＮＵに伝送する。例えば、イーサネット標準ＩＥＥＥ８０２．１ａｓ精密時間プロトコルを通じて初期時刻情報が伝送される。
【００７４】
次いで、時刻差分計算段階（５３０）で、ＯＮＵがＯＬＴから受信した初期時刻情報と、ＧＰＳ受信モジュールから取得した基準時刻情報とを比較して、時刻差分を計算する。
【００７５】
例えば、ＯＮＵがＯＬＴから受信したイーサネット標準ＩＥＥＥ８０２．１ａｓ精密時間プロトコルデータから周波数、１ＰＰＳ、ＴＯＤを抽出して復元し、ＧＰＳ受信モジュールからＧＰＳ衛星と同期した１ＰＰＳ＋ＴＯＤ情報を取得することができる。
【００７６】
次いで、時刻差分伝送段階（５４０）で、ＯＮＵが計算された時刻差分をＯＬＴに伝送する。この際、時刻差分は、ＯＮＵから最優先順位でＯＬＴに伝送される。
【００７７】
例えば、時刻補正プロトコルを通じて時刻差分を伝送し、時刻補正プロトコルは、ＩＴＵ−Ｔ  Ｇ．８２７５．１のＢＭＣＡのＳＦを基盤とした情報に時刻差分情報を加えた形式を取ることができる。
【００７８】
次いで、時刻同期化段階（５５０）で、ＯＬＴがＯＮＵから受信した時刻差分に基づいて時刻を補正し、ＯＮＵと時刻同期を行う。例えば、現在ＯＬＴの時刻がＴ、ＯＮＵから受信した時刻差分が△Ｔ、時刻補正された時刻がＴ’であれば、Ｔ’＝Ｔ±△Ｔになる。
【００７９】
前記のように時刻補正が行われた後、初期時刻情報の代わりに、補正された時刻情報を用いて、前記時刻情報伝送段階（５２０）と、時刻差分計算段階（５３０）と、時刻差分伝送段階（５４０）と、時刻同期化段階（５５０）とを繰り返して継続的にＯＬＴとＯＮＵとの時刻を同期化する。
【００８０】
次いで、ＯＮＵロック段階（５６０）で、ＯＬＴから受信する補正された時刻情報とＧＰＳ受信モジュールから取得した基準時刻情報とを比較した時刻差分が、許容可能な時刻範囲に到逹する場合、ＯＮＵがロックされる。
【００８１】
次いで、時刻同期情報伝送段階（５７０）で、ＯＮＵがロックされれば、その後ＯＬＴが時刻同期情報を配下にある他のＯＮＵに伝送する。例えば、８０２．１ａｓ精密時間プロトコルを用いて時刻同期情報を配下にある他のＯＮＵに伝送する。
【００８２】
そして、配下にある他のＯＮＵがＯＬＴから受信した時刻同期情報を、自分につながっているスレーブ装置（図面省略）に伝送する。例えば、１５８８ＰＴＰパケットを通じて時刻同期情報をスレーブ装置に伝送することができる。
【００８３】
図６は、図５に示した通信ネットワークの時刻同期化方法を行う受動光ネットワーク構成を示すブロック図である。図６に示した受動光ネットワークは、ＯＬＴ６１０、ＯＮＵ６２０及び他のＯＮＵ６３０を含む。
【００８４】
ＯＬＴ６１０のＳＦＵ６１１は、電源入力後、ＮＴＰまたはＲＴＣから初期時刻情報を取得し、これに基づいて時刻同期化する。例えば、取得される初期時刻情報は、周波数、１ＰＰＳ、ＴＯＤを含む。
【００８５】
ＳＦＵ６１１は、ＳＩＵ６１２に初期時刻情報を伝達する。ＳＩＵ６１２のＰＯＮ  ＭＡＣは、初期時刻情報をＯＮＵ６２０に伝送する。例えば、イーサネット標準ＩＥＥＥ８０２．１ａｓ精密時間プロトコルを通じて初期時刻情報が伝送される。
【００８６】
そうすると、ＯＮＵ６２０のＰＯＮ  ＭＡＣ６２１がＯＬＴ６１０から初期時刻情報を取得し、ＯＮＵ６２０のＧＰＳ受信モジュール６２２がＧＰＳ衛星（図面省略）から基準時刻情報を取得する。
【００８７】
そして、ＯＮＵ６２０のＬ２スイッチ６２３がＯＬＴ６１０から受信した初期時刻情報と、ＧＰＳ受信モジュール６２２から取得した基準時刻情報とを比較し、時刻差分を計算する。
【００８８】
例えば、ＯＮＵ６２０がＯＬＴ６１０から受信したイーサネット標準ＩＥＥＥ８０２．１ａｓ精密時間プロトコルデータから周波数、１ＰＰＳ、ＴＯＤを抽出して復元し、ＧＰＳ受信モジュール６２２からＧＰＳ衛星と同期した１ＰＰＳ＋ＴＯＤ情報を取得することができる。
【００８９】
次いで、ＯＮＵ６２０がＰＯＮ  ＭＡＣ６２１を通じて計算された時刻差分をＯＬＴ６１０に伝送する。この際、時刻差分は、ＯＮＵから最優先順位でＯＬＴに伝送される。
【００９０】
例えば、時刻補正プロトコルを通じて時刻差分を伝送し、時刻補正プロトコルは、ＩＴＵ−Ｔ  Ｇ．８２７５．１のＢＭＣＡのＳＦを基盤とした情報に時刻差分情報を加えた形式を取ることができる。
【００９１】
そうすると、ＯＬＴ６１０のＳＦＵ６１１がＯＮＵ６２０から受信した時刻差分に基づいて時刻を補正して、ＯＮＵ６２０と時刻同期を行う。例えば、現在ＯＬＴの時刻がＴ、ＯＮＵから受信した時刻差分が△Ｔ、時刻補正された時刻がＴ’であれば、Ｔ’＝Ｔ±△Ｔになる。
【００９２】
前記のように時刻補正がなされた後、初期時刻情報の代わりに、補正された時刻情報を用いて、前記の動作を継続的に繰り返してＯＬＴとＯＮＵとの時刻を同期化する。ＯＬＴ６１０から受信する補正された時刻情報とＧＰＳ受信モジュール６２２から取得した基準時刻情報とを比較した時刻差分が、許容可能な時刻範囲に到逹する場合、ＯＮＵ６２０がロックされる。
【００９３】
ＯＮＵ６２０がロックされれば、その後ＯＬＴ６１０が時刻同期情報を配下にある他のＯＮＵ６３０に伝送する。例えば、８０２．１ａｓ精密時間プロトコルを用いて時刻同期情報を配下にある他のＯＮＵに伝送する。
【００９４】
そして、配下にある他のＯＮＵ６３０がＯＬＴから受信した時刻同期情報を、自分につながっているスレーブ装置（図面省略）に伝送する。例えば、１５８８ＰＴＰパケットを通じて時刻同期情報をスレーブ装置に伝送することができる。
【００９５】
このように実装することによって、本発明は、受動光ネットワーク（ＰＯＮ）を成すＯＬＴとＯＮＵとの時刻同期化を効率的に行うことができる。
本発明は、添付図面によって参照される望ましい実施形態を中心に記述されたが、このような記載から、後述する特許請求の範囲によって包括される範囲内で、本発明の範疇から外れず多様な変形が可能であるということは明白である。
【産業上の利用可能性】
【００９６】
本発明は、時刻同期技術分野及びその応用技術分野で産業上利用可能である。
【符号の説明】
【００９７】
２１０、４１０、６１０：ＯＬＴ
２２０、４２０、６２０：ＯＮＵ
２３０、４３０：ＧＭ
６３０：他のＯＮＵ
【図１】
2017069930.tif 000003
【図２】
2017069930.tif 000004
【図３】
2017069930.tif 000005
【図４】
2017069930.tif 000006
【図５】
2017069930.tif 000007
【図６】
2017069930.tif 000008